(57)【要約】      （修正有）【課題】高温による太陽電池パネルの性能低下を防ぐことができ、かつ、メガソーラーシステムに利用可能な太陽光発電システムを提供する。【解決手段】傾斜地上に既に設置された、流水を導く導水管１０の上部に、太陽電池パネル２０を高熱伝導性の材料を介して保持する。太陽光によって加熱された太陽電池パネル２０を、導水管１０を流れる水の冷熱を利用して冷却し、高温による太陽電池パネルの性能低下を防ぐ。【選択図】図１
2014150147.tif 000002
【特許請求の範囲】
【請求項１】
地上に設置された、流水を導く導水管の上部に、高熱伝導性の材料を介して太陽電池パネルを保持させることを特徴とする太陽光発電システム。
【請求項２】
前記太陽電池パネルを固定させるための前記高熱伝導性の材料からなる台座と、該台座を前記導水管の上部に保持させる保持手段とを備えることを特徴とする請求項１に記載の太陽光発電システム。
【請求項３】
前記台座は、前記太陽電池パネルの底面に密着するとともに、該台座の底面が前記導水管の上部に密着することを特徴とする請求項２に記載の太陽光発電システム。
【請求項４】
前記太陽電池のパネルの向きを日照方向に合うように、前記導水管の上部を円弧状に前記台座が可動できる可動手段をさらに備えることを特徴とする請求項２に記載の太陽光発電システム。
【発明の詳細な説明】
【技術分野】
【０００１】
本発明は、高温による太陽電池パネルの性能低下を防ぐことができ、かつ、メガソーラーシステムに利用可能な太陽光発電システムに関する。
【背景技術】
【０００２】
太陽電池パネルで効率よく発電させるためには、太陽電池パネルの表面温度が２５度前後となることが望ましいとされており、従来、高温による性能低下を防ぐために太陽電池パネルを冷却水で冷却させる技術（例えば、特許文献１及び２などを参照）が開発されている。
【先行技術文献】
【特許文献】
【０００３】
【特許文献１】特開平８−５１６０号公報
【特許文献２】特開２０１１−１６５９２７号公報
【発明の概要】
【発明が解決しようとする課題】
【０００４】
しかしながら、上述のような技術は住宅用など小規模な太陽光発電システムに適用されるものであり、メガソーラーシステム等の大規模なものを想定したものではない。  
本発明は、上記課題に鑑みてなされたものであり、高温による太陽電池パネルの性能低下を防ぐことができ、かつ、メガソーラーシステムに利用可能な太陽光発電システムを提供することを目的とする。
【課題を解決するための手段】
【０００５】
上記課題を解決するために、本発明に係る太陽光発電システムは、地上に設置された、流水を導く導水管の上部に、高熱伝導性の材料を介して太陽電池パネルを保持させることを特徴とする。本発明に係る太陽光発電システムは、前記太陽電池パネルを固定させるための前記高熱伝導性の材料からなる台座と、該台座を前記導水管の上部に保持させる保持手段とを備えていてもよい。
【０００６】
また、本発明に係る太陽光発電システムは、前記台座が、前記太陽電池パネルの底面に密着するとともに、該台座の底面が前記導水管の上部に密着してもよい。さらに、本発明に係る太陽光発電システムは、前記太陽電池のパネルの向きを日照方向に合うように、前記導水管の上部を円弧状に前記台座が可動できる可動手段をさらに備えていてもよい。
【発明の効果】
【０００７】
本発明によれば、高温による太陽電池パネルの性能低下を防ぐことができ、かつ、メガソーラーシステムに利用可能な太陽光発電システムを提供することができる。
【図面の簡単な説明】
【０００８】
【図１】本発明の一実施形態において、太陽光発電システムの概略構成を示す図である。
【図２】本発明の一実施形態において、太陽光発電システムの断面形状を示す図である。
【発明を実施するための形態】
【０００９】
以下、本発明の好ましい実施形態につき、添付図面を参照して詳細に説明する。なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び図面等は、本発明の好ましい実施態様を示すものであり、例示又は説明のために示されているのであって、本発明をそれらに限定するものではない。本明細書で開示されている本発明の意図ならびに範囲内で、本明細書の記載に基づき、様々に修飾ができることは、当業者にとって明らかである。
【００１０】
図１は、本発明の一実施形態として説明する太陽光発電システム（以下、単に「システム」と称する。）の概略構成を示す図である。また、図２は、本発明の一実施形態として説明する太陽光発電システムの断面形状を示す図である。図１及び図２に示すように、システム１００は、地上に設置された導水管１０、複数の太陽電池パネル２０などを備える。導水管１０は、流水を導く管であって、流水の熱を伝えることができる材料（例えば、鉄、アルミニウムなど）から構成されているものであって、多くの太陽電池パネル２０を設置することができるものであれば特に制限されるものではなく、例えば、水力発電所に設置された水圧鉄管、水道局に設置されている鉄管などを利用することができる。
【００１１】
複数の太陽電池パネル２０は、導水管１０の上部に高熱伝導性の材料を介して保持される。より具体的には、複数の太陽電池パネル２０は、傾斜地上に既に設置された導水管１０の上流から下流に沿って１列に導水管１０の上部に並べられ、各太陽電池パネル２０は、高熱伝導性の材料を介して保持される。導水管１０に対する太陽電池パネル２０の保持は、高熱伝導性の材料から構成され、かつ、太陽パネル２０を固定可能な台座３０を、例えば、図１及び図２に示すような、台座３０に設けられた金具３１と、略半円弧断面形状を有する金具３２と、金具３１及び金具３２に設けられたフランジに取り付けられる螺子部材３３とを有するクランプを用いて導水管１０に固定することにより行うことができるが、その他の既存のクランプやバンドを用いて導水管１０に固定することにより行うこともでき、また、溶接、螺子止めなどの公知の方法によって導水管１０に直接固定することにより行うこともできる。
【００１２】
なお、台座３０は、太陽電池パネル２０の底面に密着して太陽電池パネル２０を固定できるように形成されていることが好ましい。また、台座３０は、導水管１０の上部に底面が密着するように形成されていることが好ましく、クランプや螺子部材を用いて台座３０を固定する場合には、クランプにおける金具や螺子部材も高熱伝導性の材料によって形成され、導水管１０の外周面に密着するように形成されていることがより好ましい。これらの構成を備えることにより、導水管１０内を流れる水の熱を太陽電池パネル２０により効率よく伝えることができるようになる。
【００１３】
上記高熱伝導性の材料としては、例えば、鉄、アルミニウムなどを挙げることができるが、これらに限定されるものではない。また、本実施の形態においては、導水管１０の上部に複数の太陽電池パネル２０を１列に並べて高熱伝導性の材料を介して保持させることとしているが、導水管１０の直径が大きく、導水管１０の上流から下流に沿って太陽パネル２０を２列に並べて導水管１０の上部に保持させることができる場合には、２列に並べて保持させることとしてもよい。
【００１４】
以上のようなシステム１００において、水力発電所に設置された水圧鉄管、水道局に設置されている鉄管などの導水管１０には常に水が流れているため、太陽電池パネル２０を冷却する冷却装置（例えば、冷水を供給するポンプ等）を設けることなく、夏場に太陽光によって加熱された太陽電池パネル２０を、導水管１０を流れる水の冷熱を利用して冷却することができ、高温による太陽電池パネルの性能低下を防いで効率よく発電することが可能となる。また、上記導水管１０には多くの太陽電池パネル２０を設置することができることから、既存の設備及び土地を有効に利用したメガソーラーシステムを提供することができるようになる。
【００１５】
また、上述のようなシステム１００において、冬場では導水管１０を流れる水の温度は雪の温度に比べ高いため、太陽電池パネル２０の表面に降った雪を解かす融雪装置（例えば、温水を供給するポンプ等）を設けることなく、太陽電池パネル２０の表面に降った雪を、導水管１０を流れる水の熱を利用して解かすことができ、１年中安定して発電させることも可能となる。
【００１６】
さらに、システム１００における導水管１０が、水力発電所において既に設置されている水圧鉄管である場合、多くは日照条件が良い場所に設置されており、かつ、水力発電所に既に設置された送電線や変電所などを利用して発電した電気を供給したり、水力発電所の電力として使用したりすることができることから、既存の設備を利用して安価な建設費で効率よく発電を行うことができるシステムを提供することができるようになる。
【００１７】
なお、上述のシステム１００において、台座３０をクランプによって保持する場合には、台座３０が、導水管１０の上部を円弧状に、すなわち、図１に示す矢印方向に可動できる可動手段を備えることとしてもよい。台座３０の可動は、例えば、導水管１０の外周面に接する台座３０の底面及びクランプの内周面に設けたローラベアリングにより行ってもよいし、導水管１０の外周面に設けたレール上で行ってもよいし、その他、既存の装置を設けて行ってもよい。なお、台座３０は、台座３０に固定した太陽電池パネル２０の向きが日照方向に合うように、制御装置を用いて一定の速度で可動するようにしてもよいが、制御装置を用いて定期的に所定の距離だけ進むように可動するようにしてもよい。
【００１８】
このようにシステム１００に回転手段を備えることにより、台座３０に固定された太陽電池パネル２０の向きを日照方向に合わせて回転させることができ、高効率に発電を行うことが可能となる。
【符号の説明】
【００１９】
１０  導水管、２０  太陽電池パネル、３０  台座、３１，３２  金具、３３  螺子部材、１００  太陽光発電システム
【図１】
2014150147.tif 000003
【図２】
2014150147.tif 000004